(57)【要約】【課題】架台上に隣接配置される太陽電池パネルのフレーム間に跨がってこれらを架台に押圧固定する固定金具に容易に取付けられ、固定金具を介してフレーム同士を電気的に接続するアース金具を提供する。【解決手段】固定金具４のフレーム押圧部4dを凹溝1a内に配置する様にしてフレーム押圧部4dを一対の側板1bで挟掴するコ字状クリップを構成し、側板1bには、フレーム押圧部4d表面の絶縁皮膜を刺衝して固定金具素材に食い込むことで電気的に導通する固定金具食込用突起1cを設け、前記側板1b間に架設された底板1dの外側面にフレーム３表面の絶縁皮膜を刺衝してフレーム素材に食い込むことで電気的に導通するフレーム食込用突起1eを設ける。【選択図】図５
2018091008.tif 000002
【特許請求の範囲】
【請求項１】
架台上に隣接配置される太陽電池パネルのフレーム間に跨がって該フレーム同士を架台に押圧して固定する固定金具のフレーム押圧部に取付けられるアース金具であって、該アース金具は、前記フレーム押圧部を凹溝内に配置する様にしてフレーム押圧部を一対の側板で挟掴するコ字状クリップからなり、前記側板には、フレーム押圧部表面の絶縁皮膜を刺衝して固定金具素材に食い込むことで電気的に導通する固定金具食込用突起を設け、前記側板間に架設された底板の外側面にフレーム表面の絶縁皮膜を刺衝してフレーム素材に食い込むことで電気的に導通するフレーム食込用突起を設けたことを特徴とするアース金具。
【発明の詳細な説明】
【技術分野】
【０００１】
本発明は、架台上に複数配置される太陽電池パネルのアース接続を簡単且つ確実と成すアース金具に関する。
【背景技術】
【０００２】
従来、屋根に設置した太陽電池パネルは、太陽電池の電気出力を取り出すための電気ケーブルを配線すると共に、太陽電池の発電によって帯電した電荷をアースする必要があった。
太陽電池パネルのフレームは、導電材であるアルミニウムで構成されているが、その外面は腐食防止のためにアルマイト処理や塗装などが施されているので、そのフレーム外面に施された塗膜は電気的に絶縁されており、各太陽電池本体にアース線を接続せねばならず、そのアース線の配線は甚だ面倒であった。
【０００３】
かかる不具合を解消するため、特許文献１では、屋根上に取付けられた架台上に隣接配置される太陽電池パネルのフレーム同士を架台に押圧して固定することのできる固定金具において、太陽電池パネルのフレームを押圧する下端部に先端が尖った複数の突起を設け、太陽電池パネルが架台に固定される際に、複数の突起がフレーム表面の絶縁皮膜を刺衝してフレーム素材に食い込むことで、固定金具を介して太陽電池パネル同士を電気的に接続し、複数の太陽電池パネルの夫々にアース線を取付けなくても、一つの太陽電池パネルにアース線を取付けるだけで、複数の太陽電池パネルをアース（接地）している。
【先行技術文献】
【特許文献】
【０００４】
【特許文献１】特開２００７−２１１４３５号公報
【発明の概要】
【発明が解決しようとする課題】
【０００５】
ところで、架台や太陽電池パネルのフレームは様々な形態のものがあり、そのフレームの形態に応じ固定金具の形態も異なるので、各種形態の固定金具に上記突起を形成せねばならない課題を有している。
そこで、本発明では、架台上に隣接配置される太陽電池パネルのフレーム間に跨がって該フレーム同士を架台に押圧して固定する固定金具に容易に取付けられ、該固定金具を介して太陽電池パネル同士を電気的に接続するアース金具を提供することを目的としている。
【課題を解決するための手段】
【０００６】
上記課題に鑑み、本発明のアース金具は、架台上に隣接配置される太陽電池パネルのフレーム間に跨がって該フレーム同士を架台に押圧して固定する固定金具のフレーム押圧部に取付けられるものであって、前記フレーム押圧部を凹溝内に配置する様にしてフレーム押圧部を一対の側板で挟掴するコ字状クリップからなり、前記側板には、フレーム押圧部表面の絶縁皮膜を刺衝して固定金具素材に食い込むことで電気的に導通する固定金具食込用突起を設け、前記側板間に架設された底板の外側面にフレーム表面の絶縁皮膜を刺衝してフレーム素材に食い込むことで電気的に導通するフレーム食込用突起を設けたことを特徴とする。
【発明の効果】
【０００７】
要するに本発明に係るアース金具は、上記の様に固定金具のフレーム押圧部を凹溝内に配置する様にしてフレーム押圧部を一対の側板で挟掴するコ字状クリップからなるので、固定金具に容易に取付けられる。
しかも、上記側板には、フレーム押圧部表面の絶縁皮膜を刺衝して固定金具素材に食い込むことで電気的に導通する固定金具食込用突起を設け、前記側板間に架設された底板の外側面にフレーム表面の絶縁皮膜を刺衝してフレーム素材に食い込むことで電気的に導通するフレーム食込用突起を設けたので、かかるアース金具を取付けた固定金具で架台上に隣接配置される太陽電池パネルのフレーム間に跨がって該フレーム同士を架台に押圧して固定するだけで、架台上で隣接するフレーム同士を確実に電気的に接続でき、その中の１つの太陽電池パネルにアース線を接続して接地するだけで、架台上で固定金具に連結された全ての太陽電池パネルを効率良くアースできる等その実用的効果甚だ大である。
【図面の簡単な説明】
【０００８】
【図１】本発明に係るアース金具の斜視図である。
【図２】取付け前のアース金具と、これをフレーム押圧部に取付けた固定金具の斜視図である。
【図３】アース金具を取付けた固定金具の側面図である。
【図４】太陽電池パネルの一設置例を示す一部省略斜視図である。
【図５】図４の要部拡大図である。
【発明を実施するための形態】
【０００９】
以下本発明の実施の一形態例を図面に基づいて説明する。
本発明に係るアース金具１は、屋根Ｒ上に縦横に適宜間隔を以て点在配置した架台２上に屋根Ｒの流れ方向Ｘの前後に隣接配置される太陽電池パネルＰのフレーム３間に跨がって該フレーム３同士を架台２に押圧して固定する固定金具４のフレーム押圧部4dに取付けられる。
【００１０】
架台２は、上面が平坦に形成されて太陽電池パネルＰの載置部2aと成しており、該載置部2a上の中央には、固定金具４を挿通してこれをナット５の締結で固定する螺子部2bを上方突設している。
【００１１】
太陽電池パネルＰは、方形板状の太陽電池本体（図示せず）を方形枠状のフレーム３で囲繞して成り、該フレーム３の前後の夫々を屋根Ｒの軒側及び棟側に対応させて架台２の載置部2a上の流れ方向Ｘ前後に前方の太陽電池パネルＰの後端部及び後方の太陽電池パネルＰの前端部を載置する。
又、フレーム３の前後端面上方の夫々には、先端が上方へ垂直に指向する鉤状のフランジ3aを水平突設している。
【００１２】
固定金具４は、中央に螺子部2bの挿通孔（図示せず）を穿設した水平板4aを設けると共に、該水平板4aの前後端部の夫々に上下に延びる立壁4bを固着して側面視Ｈ字状に形成して成り、前後に平行配置される立壁4bの上端縁に先端が下方へ垂直に指向する鉤状片4cを水平突設しており、該鉤状片4c先端の垂下板4dをフランジ3aを上方から押圧するフレーム押圧部4dと成している。
【００１３】
フレーム３及び固定金具４は、アルミニウム製の素材にて形成され、その外表面は腐食防止のためにアルマイト処理や塗装などが施されており、そのフレーム３及び固定金具４の外表面に施された図示しない塗膜（以下、絶縁皮膜と称する。）で電気的に絶縁されている。
【００１４】
アース金具１は、ステンレス製の薄肉鋼板からなり、固定金具４のフレーム押圧部4dを凹溝1a内に配置する様にしてフレーム押圧部4dを一対の側板1bで挟掴するコ字状クリップからなり、その表面に絶縁皮膜は施されていない。
【００１５】
各側板1bには、フレーム押圧部4d表面の絶縁皮膜を刺衝して固定金具素材に食い込むことで電気的に導通する固定金具食込用突起1c（以下、単に突起1cと称する。）を設けており、該突起1cは、側板1b上端の角部に尖端が内側に指向する鉤爪状に形成されている。
【００１６】
又、側板1b間に架設された底板1dの外側面にフランジ3a（フレーム３）表面の絶縁皮膜を刺衝してフレーム素材に食い込むことで電気的に導通するフレーム食込用突起1e（以下、単に突起1eと称する。）を設けており、該突起1eは、バーリング加工により筒型凸状に垂下形成され、底板1dの長手方向の中心線上に所定間隔を設けて複数配置されている。
【００１７】
上記の様に構成されたアース金具１は、予め固定金具４の各フレーム押圧部4dに取付けられる。
即ち、凹溝1a内に固定金具４のフレーム押圧部4dを配置すると共に、該フレーム押圧部4aを両方の側板1bで挟掴する様にかしめる。
これにより、鉤爪状の突起1cがフレーム押圧部4dの内外側面の絶縁皮膜を刺衝して固定金具素材に食い込み、固定金具４とアース金具１とは電気的に導通可能となると共に、フレーム押圧部4dにおいて直にフランジ3aを押圧する下端面に底板1dを介して突起1eが突設することとなる。
【００１８】
そして、太陽電池パネルＰの屋根Ｒ上への設置に際しては、該屋根Ｒ上に縦横に適宜間隔を以て点在配置した架台２の載置部2a上の流れ方向Ｘ前後に流れ方向Ｘ前後で隣接する太陽電池パネルＰ（フレーム３）の後端部及び前端部を螺子部2bを介して載置し、螺子部2bの前後に配置される各フレーム３のフランジ3aに固定金具４のフレーム押圧部4dの夫々を掛止すると共に、水平板4aの下方より上方へ貫通突出する螺子部2bにワッシャとバネ座金を挿通してナット５を螺着することにより、架台２の載置部2a上に流れ方向Ｘ前後で隣接するフレーム３同士が架台２に押圧固定される。
【００１９】
そして、螺子部2bに対するナット５の締め付けにより、フレーム押圧部4dの下端面より下方突出する突起1eはフランジ3a表面の絶縁皮膜を刺衝してフレーム素材に食い込み、これによりアース金具１を介して固定金具４と流れ方向Ｘ前後のフレーム３同士は電気的に導通し、この様に架台２上で隣接するフレーム３同士を確実に電気的に接続できるため、その中の１つのフレーム３にアース線を接続して接地するだけで、架台２上で固定金具４に連結された全ての太陽電池パネルＰを効率良くアースできる。
【符号の説明】
【００２０】
１  アース金具
1a  凹溝
1b  側板
1c  固定金具食込用突起
1d  底板
1e  フレーム食込用突起
２  架台
３  フレーム
４  固定金具
4d  フレーム押圧部
Ｐ  太陽電池パネル
【図１】
2018091008.tif 000003
【図２】
2018091008.tif 000004
【図３】
2018091008.tif 000005
【図４】
2018091008.tif 000006
【図５】
2018091008.tif 000007